(57)【要約】【課題】ファンの簡易な取付けとファン駆動による騒音の低減と使用者等が指等を誤って挿入することを防止したファンカバーと、本カバーを有する機器の提供を目的とする。【解決手段】ファンカバー１０１の貫通嵌合ファン固定フック部１０４がファンカバー保持位置決め穴１０７を通過し、更にファンのボルト止め用孔１１０をも通過し、且つ、貫通嵌合ファン固定フック部１０４がファンの外壁１１１の裏側に嵌合することにより、ファンカバー１０１と機器のファン取付け部１０６とファン１０９の位置決めと保持を１回の動作で行なう。【選択図】　図１
2004143983.tif 000002
【特許請求の範囲】
【請求項１】
ファンのフィンに指等が侵入することを防止するためのフィンガーガードと、前記フィンガーガードに接合し前記フィンガーガードによるファンの風切音増大を回避するためにファンの風吹出し口と前記フィンガーガードとの間に空間を設けるためのフレーム部と、前記フレーム部に接合しファン本体に設けられたボルト止め用孔に貫通して嵌合することによりファンの位置決めを行ないファンを固定する貫通嵌合ファン固定フック部とを備えたファンカバー。
【請求項２】
ファンのフィンに指等が侵入することを防止するためのフィンガーガードと、前記フィンガーガードに接合し前記フィンガーガードによるファンの風切音増大を回避するためにファンの風吹出し口と前記フィンガーガードとの間に空間を設けるためのフレーム部と、前記フレーム部に接合しファンのケースの外壁を挟持することによりファンを固定する外壁嵌合ファン固定フック部とを備えたファンカバー。
【請求項３】
ファンの位置決めを行うために、フレーム部に接合しファンのボルト固定用孔に嵌合する突起部を更に備えた請求項２記載のファンカバー。
【請求項４】
ファンのガタツキを抑制するためにファンとの接触面に弾性部を更に備えた請求項２記載のファンカバー。
【請求項５】
弾性部は、弾性変形可能なように切り込みを設けた突起形状であることを特徴とした請求項４記載のファンカバー。
【請求項６】
フレーム部は、風穴を設けたことを特徴とする請求項１または２記載のファンカバー。
【請求項７】
機器のファン取付け部をファンと請求項１記載のファンカバーの間に挟持し、前記ファンカバーの貫通嵌合ファン固定フック部を前記ファン取付け部に設けた穴、前記ファンのボルト止め用孔の順に１回の動作で挿入し固定することを特徴としたファンカバー固定方式。
【請求項８】
機器のファン取付け部をファンと請求項２記載のファンカバーの間に挟持し、前記ファンカバーの外壁嵌合ファン固定フック部を前記ファン取付け部に設けた穴に挿入し、前記ファンの外壁を挟持する順に１回の動作で固定することを特徴としたファンカバー固定方式。
【請求項９】
機器のファン取付け部とファンの間に請求項１記載のファンカバーを介し、前記ファンカバーの貫通嵌合ファン固定フック部を前記ファンのボルト止め用孔に挿入し固定する動作と、前記ファン取付け部と前記ファンカバーとを固定する動作とを別個の動作で行うことを特徴としたファンカバー固定方式。
【請求項１０】
機器のファン取付け部とファンの間に請求項２記載のファンカバーを介し、前記ファンカバーの外壁嵌合ファン固定フック部を前記ファンの外壁を挟持し固定する動作と、前記ファン取付け部と前記ファンカバーとを固定する動作とを別個の動作で行うことを特徴としたファンカバー固定方式。
【請求項１１】
請求項９記載のファンカバー固定方式により請求項１記載のファンカバーを固定した機器。
【請求項１２】
請求項１０記載のファンカバー固定方式により請求項２記載のファンカバーを固定した機器。
【発明の詳細な説明】
【０００１】
【発明の属する技術分野】
本発明は、機器内部の冷却を目的とした処理装置に係り、ファンの取付け方式と指等の誤挿入防止部品等に関する。
【０００２】
【従来の技術】
従来、ファンは主にコンピューターなどの内部冷却等において多く使用されているが、昨今の家庭用機器の高処理能力化に伴い、コンピューター等と同様に内部冷却の必要性が高まってきている。しかしながら家庭用機器においては、コンピューター等と異なり、一般にはファン寿命より機器寿命の方が長く、また騒音に対する使用者の感度も高いため、ファンの取付け・取外しの作業性だけでなく静粛性といった事柄にも充分な配慮が必要となってきている。
【０００３】
従来のファン取付け方式としてはファンをボルトとナットで取付ける、または板金部品にタップ加工した部材と機器のファン取付け部の間にファンを挟持してボルトで締め付けを行なっていた。例えば、ファンの取付け作業性改善の手段として、従来では機器のファン取付け部の一部を内側に折り曲げ、その折り曲げ部分にファンを保持するボルトの受けとなるタップ加工を施し、ファンの外側には蜘蛛の巣状のフィンガーガードをボルトで共締めするものがある（例えば、特許文献１参照。）。
【０００４】
また、ファンによる風切音発生を抑制するための手段として、半球状に形成したフィンガーガードを機器のファン取付け部にファンと共締するものがある（例えば、特許文献２参照。）。
【０００５】
【特許文献１】
特開平０８−２０５４５０号公報（〔００１０〕段、図１）
【特許文献２】
特開２０００−３４０９７４号公報（〔００１９〕〜〔００２２〕段、図２）
【０００６】
【発明が解決しようとする課題】
しかしながら上記の従来の構成では、フィンガーガードおよびファンの取付にはボルトによる共締めが必要であり、またフィンガーガードの位置決めのためには手を添える必要があるという問題点を有していた。
【０００７】
本発明は上記従来の問題点を解決するもので、使用者が指等を誤挿入することを防止し、騒音値の低減化および作業者による位置決めやボルト等の別部品を必要としない取付け作業性の良いファンカバー、当該ファンカバーの固定方式および当該ファンカバー固定方式を用いた機器を提供することを目的としている。
【０００８】
【課題を解決するための手段】
この目的を達成するために本発明のファンカバーは、ファンのフィンに指等が侵入することを防止するためのフィンガーガードと、前記フィンガーガードに接合し前記フィンガーガードによるファンの風切音増大を回避するためにファンの風吹出し口と前記フィンガーガードとの間に空間を設けるためのフレーム部と、前記フレーム部に接合しファン本体に設けられたボルト止め用孔に貫通して嵌合することによりファンの位置決めを行ないファンを固定する貫通嵌合ファン固定フック部を備えた構成としている。
【０００９】
この構成によって、ファンの回転フィンに対し指等の誤挿入を防止し、また風切音の発生を低減するとともに、ファン並びにフィンガーガードの取付けにボルト等を必要としない組立作業性の良い機器を提供することが可能となる。
【００１０】
【発明の実施の形態】
以下、本発明のファンカバー、ファンカバー固定方式および機器の実施の形態について、図を用いて説明する。
【００１１】
（実施の形態１）
図１は本発明の実施の形態１におけるファンカバーおよびファンカバー固定方式を示す斜視図である。ファンカバー１０１の貫通嵌合ファン固定フック部１０４がファンカバー保持位置決め穴１０７を貫通し、更にファンのボルト止め用孔１１０も貫通し、貫通嵌合ファン固定フック部１０４がファンの外壁１１１の裏側に嵌合することにより、ファンカバー１０１と機器のファン取付け部１０６とファン１０９の位置決めと保持を同時に行なっている。この貫通嵌合ファン固定フック部１０４は先端がフック形状である。機器のファン取付け部１０６に設けられた機器の風穴１０８はファン１０９によって起こされる空気の流れを阻害しない充分な大きさを設定する。また、ファンカバーの風穴１０５も人の指等が誤挿入されない程度に出来るだけ大きくとる。フィンガーガード１０２は風の流れ方向に対してはある程度厚みをもたせ必要な強度を確保すると共に、流れに対抗する面は人の指等が挿入できない程度に間隔をあけて桟の幅も風の流れの妨げを減らすよう考慮した幅に設定する。ファンカバー１０１のフレーム部１０３はファン１０９とフィンガーガード１０２の間に必要な空間を確保できる幅を持たせる。詳細な寸法設定については、ファン１０９の寸法、風量によって各々異なるため、実際に騒音値を測定して決定する事が望ましい。
【００１２】
以上のように、本発明の実施の形態１におけるファンカバー１０１は、ファンのフィンに指等が侵入することを防止するためのフィンガーガード１０２と、フィンガーガード１０２に接合しフィンガーガード１０２によるファン１０９の風切音増大を回避するためにファンの風吹出し口とフィンガーガード１０２との間に空間を設けるためのフレーム部１０３と、フレーム部１０３に接合しファン１０９に設けられたボルト止め用孔１１０に貫通して嵌合することによりファンの位置決めを行ないファンを固定する貫通嵌合ファン固定フック部１０４とを備えていることにより、ファンカバー１０１とファン１０９との固定が容易である。
【００１３】
また、フレーム部１０３は、風穴１０５を設けていることにより、空気の流れを阻害しない。
【００１４】
また、ファンカバー固定方式として、機器のファン取付け部１０６をファン１０９とファンカバー１０１の間に挟持し、ファンカバー１０１の貫通嵌合ファン固定フック部１０４をファン取付け部１０６に設けたファンカバー保持位置決め穴１０７、ファンのボルト止め用孔１１０の順に１回の動作で挿入し固定することができる。これにより工程を少なくできるため経済的である。
【００１５】
また、図示していないが、ファンカバーには、貫通嵌合ファン固定フック部だけではなく、機器のファン取付け部との間の固定のためにフックまたはフック受けを更に設ける。この場合、ファンカバー固定方式として、機器のファン取付け部とファン１０９の間にファンカバーを介する。これにより、ファンカバーの貫通嵌合ファン固定フック部をファン１０９のボルト止め用孔１１０に挿入し固定する動作と、機器のファン取付け部のフックまたはフック受けとファンカバーのフック受けまたはフックとを固定する動作とを別個の動作で行うことができる。これにより工程を少なくできるため経済的である。
【００１６】
また、上述のファンカバー固定方式により上述のファンカバーを固定した機器の製造も工程を少なくできるため経済的である。
【００１７】
（実施の形態２）
図２は本発明の実施の形態２におけるファンカバーおよびファンカバー固定方式を示す斜視図である。ファンカバー２０１の外壁嵌合ファン固定フック部２０４がファン２０９の外壁２１１を引っ掛け、ファンカバー２０１に形成されているファンのガタツキ押えバネ２１５によりファンカバー２０１とファン２０９との間のガタを防止し、ファン保持位置決めボス２１２にてファン２０９を位置決めしてファン２０９を保持する。この外壁嵌合ファン固定フック部２０４は先端がフック形状である。そしてファンカバー２０１はファンカバー位置決めボス２１６と機器のファン取付け部２０６のファンカバー保持位置決め穴２０７にてガイドされ、ファンカバー２０１に形成されている機器保持フック２１３と機器のファン取付け部２０６のファンカバーとの嵌合フック受け２１４が嵌合することで機器のファン取付け部２０６に固定される。この例ではファンカバー２０１と機器のファン取付け部２０６との位置決めにファンカバー位置決めボス２１６を用いたが、機器のファン取付け部２０６に折り曲げガイドリブを設けてファンカバー２０１のフレーム部２０３と位置決めを行なっても同様の効果が得られる。また、ファンカバー２０１とファン２０９との間にファンの弾性部であるガタツキ押えバネ２１５を設けた例であるが、寸法精度が高い場合や、ファン２０９のモーター駆動音が機器のファン取付け部２０６に基準を超えるような大きな影響を与えない場合などは無くても支障ない。なお、ファンカバー２０１と機器のファン取付け部２０６との間に同様の弾性部であるガタツキ押えバネを設けても良く、その場合は更なるモーター駆動音の伝達抑制と、機器のファン取付け部２０６の寸法精度に対する許容範囲が広がることになる。
【００１８】
以上のように、本発明の実施の形態２におけるファンカバー２０１は、ファンのフィンに指等が侵入することを防止するためのフィンガーガード２０２と、フィンガーガード２０２に接合しフィンガーガード２０２によるファンの風切音増大を回避するためにファンの風吹出し口とフィンガーガード２０２との間に空間を設けるためのフレーム部２０３と、フレーム部２０３に接合しファンのケースの外壁２１１を挟持することによりファン２０９を固定する外壁嵌合ファン固定フック部２０４とを備えていることにより、ファンカバー２０１とファン２０９との固定が容易である。
【００１９】
また、ファンカバー２０１は、ファン２０９の位置決めを行うために、フレーム部２０３に接合しファンのボルト固定用孔２１０に嵌合する突起部であるファン保持位置決めボス２１２を更に備えている。
【００２０】
また、ファンカバー２０１は、ファンのガタツキを抑制するためにファンとの接触面に弾性部であるガタツキ押えバネを更に備えている。これにより、モーター駆動音の伝達抑制と、機器のファン取付け部２０６の寸法精度に対する許容範囲が広がることになる。
【００２１】
弾性部は、また弾性変形可能なように切り込みを設けた突起形状で構成することができる。これにより弾性部の材質の選択範囲を広げることができる。
【００２２】
また、フレーム部２０３は、風穴を設けていることにより、空気の流れを阻害しない。
【００２３】
また、図示していないが、機器のファン取付け部をファン２０９とファンカバーの間に挟持し、ファンカバーの外壁嵌合ファン固定フック部をファン取付け部に設けた穴に挿入し、ファンの外壁を挟持する順に１回の動作で固定することができる。これにより工程を少なくできるため経済的である。
【００２４】
また、ファンカバー２０９には、外壁嵌合ファン固定フック部２０４だけではなく、機器のファン取付け部２０６との間の固定のためにフックまたはフック受けを更に設ける。例えば機器保持フック２１３である。この場合、ファンカバー固定方式として機器のファン取付け部２０６とファン２０９の間にファンカバー２０１を介し、ファンカバーの外壁嵌合ファン固定フック部２０４がファンの外壁２１１を挟持し固定する動作と、ファン取付け部２０６とファンカバー２０９とを固定する動作とを別個の動作で行うことができる。これにより工程を少なくできるため経済的である。
【００２５】
また、上述のファンカバー固定方式により上述のファンカバーを固定した機器の製造も工程を少なくできるため経済的である。
【００２６】
【発明の効果】
以上のように本発明は、使用者等が誤って指等を挿入することを防止し、且つファン騒音を低減させることが可能なファンカバーおよびファンの簡易な取付けと、この装置を有する機器を提供することが可能である。
【図面の簡単な説明】
【図１】本発明の実施の形態１におけるファンカバーおよびファンカバー固定方式を示す斜視図
【図２】本発明の実施の形態２におけるファンカバーおよびファンカバー固定方式を示す斜視図
【符号の説明】
１０１　ファンカバー
１０２　フィンガーガード
１０３　フレーム部
１０４　貫通嵌合ファン固定フック部
１０５　ファンカバーの風穴
１０６　機器のファン取付け部
１０７　ファンカバー保持位置決め穴
１０８　機器の風穴
１０９　ファン
１１０　ファンのボルト止め用孔
１１１　ファンの外壁
２０１　ファンカバー
２０２　フィンガーガード
２０３　フレーム部
２０４　外壁嵌合ファン固定フック部
２０５　ファンカバーの風穴
２０６　機器のファン取付け部
２０７　ファンカバー保持位置決め穴
２０８　機器の風穴
２０９　ファン
２１０　ファンのボルト止め用孔
２１１　ファンの外壁
２１２　ファン保持位置決めボス
２１３　機器保持フック
２１４　ファンカバーとの嵌合フック受け
２１５　ファンガタツキ押えバネ
２１６　ファンカバー位置決めボス
【図１】
2004143983.tif 000003
【図２】
2004143983.tif 000004